(57)【要約】 【課題】  製造時の固定の作業性を向上させ、うなり音を低減可能なチョークコイルを提供すること。【解決手段】  分割型ボビン３と閉磁路磁心１の磁脚部の隙間にゴムシート１４を挿入したチョークコイルであり、この分割型ボビン３を固定するためのピン端子５を植設した台座２のピン端子上部を巻線に影響しない分割型ボビン３の端部付近へ差し込むことにより分割型ボビン３と台座２の間を固定したチョークコイルである。【選択図】  図１
2007049072.tif 000002
【特許請求の範囲】
【請求項１】
４辺からなるロ字形のコア、台座および分割ボビンを有するチョークコイルにおいて、前記台座に植設されたピン端子の上部を前記分割ボビンの端部付近に差し込むことにより前記分割ボビンと前記台座を固定し、前記台座と、前記分割ボビンの内側にある前記コアの一辺に対向し前記分割型ボビンの外側に位置する前記コアの他辺との間には弾力性および振動吸収性を有するシートを装着したことを特徴とするチョークコイル。
【発明の詳細な説明】
【技術分野】
【０００１】
本発明は、民生用および産業用電子機器等に使用されるチョークコイルに関し、特にコモンモード用に好適なチョークコイルに関する。
【背景技術】
【０００２】
コモンモード用などのチョークコイルは、スイッチング電源等の電子機器の電源ラインに挿入され電磁ノイズを抑制する電子部品として使用されている。従来その構造から、たとえば、コア、分割型ボビンおよび台座を一体に固定するため、それらを互いに固定できる箇所に接着剤が塗布され固定用に用いられていた。
【０００３】
そのとき、接着剤塗付による、接着剤の乾燥、垂れ、不要部分への付着などにより作業性の向上には限界があった。また接着剤は温度や湿度による使用環境条件により硬化状態が異なり管理が容易でないという状況があった。
【０００４】
他に、接着剤を構成要素間の固定のために用いたコモンモードチョークコイルの例として、特許文献１、特許文献２などに開示された技術がある。
【０００５】
【特許文献１】特開２０００−３３１８５１号公報
【特許文献２】特開２０００−２６９０５０号公報
【発明の開示】
【発明が解決しようとする課題】
【０００６】
すでに一部説明したように従来の接着剤固定によるコモンモードチョークコイルでは、接着工程での接着剤の垂れ、不要部分への付着などを防止すること、また、作業後の接着剤の剥がれ、欠け、ひび割れ等の発生を防止することが必要であり、作業性および製品仕上がり面で問題があった。
【０００７】
また、従来のコモンモード用などのチョークコイルでは電源ライン等で用いたとき、うなり音が発生し、その低減は困難であった。
【０００８】
この状況にあって、本発明の技術的課題は、製造時の固定の作業性を向上させ、うなり音を低減可能なチョークコイルを提供することにある。
【課題を解決するための手段】
【０００９】
本発明のチョークコイルは、４辺からなるロ字形のコア、台座および分割ボビンを有するチョークコイルにおいて、前記台座に植設されたピン端子の上部を前記分割ボビンの端部付近に差し込むことにより前記分割ボビンと前記台座を固定し、前記台座と、前記分割ボビンの内側にある前記コアの一辺に対向し前記分割型ボビンの外側に位置する前記コアの他辺との間には弾力性および振動吸収性を有するシートを装着したことを特徴とする。
【００１０】
その分割型ボビンは、駆動用の歯車を設けた筒状胴部の両端および中央部に鍔が設置され円筒軸を含む面で２分割できる分割型ボビンであり、閉磁路磁心の磁脚部に緩嵌し、分割型ボビンの鍔間に巻線を施し、その分割型ボビンを、ピン端子を植設した台座に設置しており、その分割型ボビンと閉磁路磁心の磁脚部の隙間にゴムシートなどの弾力性および振動吸収性を有するシートを挿入し両者を固定している。
【発明の効果】
【００１１】
本発明によれば、チョークコイルを構成しているコア、分割型ボビン、台座などを固定するために使用していた接着剤による固定作業を解消することができる。その結果、固定の作業性の向上が可能になり、仕上がり管理が容易になった。
【００１２】
また、弾力性と振動吸収性を有するゴムシートを使用したので、チョークコイルのうなり音を低減する効果がある。
【発明を実施するための最良の形態】
【００１３】
本発明の一実施の形態でのチョークコイルは、１個のロ字型コア、絶縁物からなる分割型ボビン、巻線と台座（ベース）から構成している。絶縁距離を確保し、ボビンの巻枠を最大限広げるためコアをボビン下方で連続させ、小型化が可能な構造となっている。本品は分割型ボビンと台座を、台座に植設されたピンを分割型ボビンに刺し込むことにより接着剤なしで固定できる構造となっている。更にコアと台座(ベース)の間 にゴムシートなどの弾力性と振動吸収性を有するシートを入れることによりコアと台座（ベース）のがたつきを接着剤なしで抑えることができる構造としたコモンモードチョークコイルである。これらのピンやゴムを用いる構造にすることにより、うなり音の低減を実現できるチョークコイルである。
【００１４】
次に、本実施の形態のチョークコイルを図面に基づいて説明する。
【００１５】
図１は、本実施の形態のチョークコイルを示し、図１（ａ）は図１（ｂ）のＡ-Ａ線で指示した断面図、図１（ｂ）は図１（ａ）のＢ-Ｂ線で指示した断面図である。
【００１６】
また図１は分割型ボビン３の軸心の穴７内にロ字形の閉磁路磁心１の一辺の脚部分を組み込み、他方の一辺の脚部分を台座２の下に配置した様子を示し、図１（ａ）は正面から見た断面図であり、図１（ｂ）は右側面から見た断面図である。
【００１７】
分割型ボビン３は長軸中心面を境にして上下に分割される構造である。また、この分割型ボビン３は、図１に示すように、ロ字型の閉磁路磁心１の一辺の磁脚９に嵌装されると、その分割面の凸凹が結合し、一体となる。
【００１８】
閉磁路磁心１を軸心に組み込んだ分割型ボビン３は、台座２上の中央部に構成した凹部に回転摺動ができるように組み込まれる。その回転摺動の動力は、分割型ボビン３の筒状胴部８の中央部側面にある鍔の近傍に形成された歯車４を介して、外部から伝達される。
【００１９】
すなわち、図１に示す構造で、分割型ボビン３だけを閉磁路磁心１を軸心として、台座２の凹部内を回転摺動させながら巻線をすることで、分割型ボビン３の鍔１１ａ，１１ｂにて分割された左右の巻線部１３ａ，１３ｂに均等に巻線される。このように、コモンモードチョークコイルの２つの巻線が形成され、その端部は押圧により４本のピン端子５に接続される。
【００２０】
図２は図１（ａ）の部分拡大図であり、図３は図１（ｂ）の部分拡大図である。
【００２１】
図２、図３にコア（閉磁路磁心）１、分割型ボビン３、台座２を固定するためと、うなり防止のために挿入するゴムシート１４の配置を示す。このゴムシート１４を挿入することでこれまで接着剤で固定されていたコア（閉磁路磁心）１、分割型ボビン３、台座２を接着剤を使うことなく、それぞれ固定できる。ゴムシート１４の弾力性がピン端子５と、それを差し込んだ分割型ボビン３の接触部間の固着力を保持させる機能をなすからである。同時に、コアが分割型ボビン３の穴７の中で、動かないように固定する機能をなす。
【００２２】
その図２、図３に基づいて、分割型ボビン３と台座２を固定するためのピン端子５の分割型ボビン３への差し込み状況を説明する。ピン端子５を分割型ボビン３に差し込むことで、これまで接着剤で実施されていた分割型ボビン３、台座２を接着剤を使うことなしで固定できる。なお、図２と図３は断面図であるが、ピン端子５の台座２に埋め込まれた部分および分割型ボビン３に差し込まれた部分については破線で表示した。また台座２の下側方に設けられた切り欠き溝６についても破線で表示した。
【００２３】
このように、ゴムシート１４とピン端子５を接着剤の代わりに用いることにより従来のチョークコイルの製造工程と比べて固定の作業性が向上し、製品仕上がりの面で優れるチョークコイルが得られる。
【図面の簡単な説明】
【００２４】
【図１】本発明の一実施の形態でのチョークコイルを示し、図１（ａ）は図１（ｂ）のＡ-Ａ線で指示した断面図、図１（ｂ）は図１（ａ）のＢ-Ｂ線で指示した断面図。
【図２】図１（ａ）の部分拡大図。
【図３】図１（ｂ）の部分拡大図。
【符号の説明】
【００２５】
１    閉磁路磁心
２    台座
３    分割型ボビン
４    歯車
５    ピン端子
６    切り欠き溝
７    穴
８    筒状胴部
９    磁脚
１１ａ，１１ｂ    鍔
１３ａ，１３ｂ    巻線部
１４    ゴムシート
【図１】
2007049072.tif 000003
【図２】
2007049072.tif 000004
【図３】
2007049072.tif 000005